(57)【特許請求の範囲】
【請求項１】
画像を表す静電潜像をトナーで現像して得られるトナー像を転写することで画像を形成する電子写真プロセスを用いて、所定の搬送方向に搬送されるシート状の形状を有するシート体に対して画像を形成する画像形成部と、
画像データを取得する画像データ取得部と、
前記電子写真プロセスの条件として、第１の画像形成条件と、前記第１の画像形成条件とは異なり、バーコードの画像形成に適した第２の画像形成条件とを予め記憶する画像形成条件記憶部と、
前記画像データ取得部により取得された画像データの中にバーコードを示すデータが含まれていないとき、該画像データに基づく画像形成動作の画像形成条件として前記第１の画像形成条件を設定し、前記画像データ取得部により取得された画像データの中にバーコードを示す画像データが含まれているとき、該画像データに基づく画像形成動作の画像形成条件として前記第２の画像形成条件を設定する画像形成条件設定処理を行う画像形成条件設定部と、
前記シート体が排出される排出部と、
前記画像形成条件設定部により設定された画像形成条件にしたがって、前記画像データ取得部により取得された画像データに基づく画像形成動作を前記画像形成部に実行させることにより前記シート体に画像を形成させて前記画像の形成された前記シート体を前記排出部へ排出させる画像形成処理を実行する画像形成制御部と、
原稿の画像を読み取る読取動作を実行する原稿読取部と、
前記画像データ取得部により取得された画像データの中にバーコードを示す画像データが含まれているとき、前記排出部に排出されたシート体を、前記原稿読取部の読取動作に供するようにユーザに案内する案内処理を実行する案内部と、
前記案内部による案内後の前記原稿読取部による読取動作で得られたバーコードの画像データについて画質を評価する評価処理を実行する評価部とを備え、
前記画像形成条件設定部は、前記評価部により一定の評価が得られなかったときに前記第２の画像形成条件を前記評価部による評価を高めるように変更する変更処理を実行する画像形成装置。
【請求項２】
前記画像データ取得部により取得された画像データの中にバーコードを示す画像データが含まれているとき、前記評価部により前記一定の評価が得られるまで、前記画像形成制御部による前記画像形成処理、前記案内部による前記案内処理、前記原稿読取部による前記読取動作、前記評価部による前記評価処理、及び前記画像形成条件設定部による前記変更処理を繰り返し実行させる制御部をさらに備える請求項１記載の画像形成装置。
【請求項３】
前記画像形成条件設定部は、
前記画像データ取得部により取得された画像データの中にバーコードを示す画像データが含まれているとき、前記搬送方向に前記被記録面をバーコードが存在する第１の範囲とそれ以外の第２の範囲とに分割し、前記第１の範囲に画像形成する対象の第１の画像データに基づく画像形成動作の画像形成条件として前記第２の画像形成条件を設定し、前記第２の範囲に画像形成する対象の第２の画像データに基づく画像形成動作の画像形成条件として前記第１の画像形成条件を設定する請求項１又は２に記載の画像形成装置。
【請求項４】
前記画像形成部は、表面に静電潜像が形成された感光体ドラムの該静電潜像を顕像化するべく、交流電圧の供給を受けてトナーを前記感光体ドラムに供給する現像ローラを備え、
前記第２の画像形成条件は、前記交流電圧の周波数が前記第１の画像形成条件と異なる値に設定されているものである請求項１〜３のいずれか１項に記載の画像形成装置。
【請求項５】
前記評価処理は、トナーのチリの状態を評価する処理を含み、
前記変更処理は、トナーのチリが予め定められた状態より多く存在することにより、前記評価部により一定の評価が得られなかったとき、前記第２の画像形成条件を、前記交流電圧の周波数が増大するように変更する処理を含む請求項４記載の画像形成装置。
【請求項６】
前記評価処理は、隣接する異なる色の２つのバーの境界部分における画像データの変化の大きさを示すコントラストを評価する処理を含み、
前記変更処理は、前記コントラストが予め定められた状態より小さいことにより前記一定の評価が得られなかったとき、前記第２の画像形成条件における前記交流電圧の周波数を変更する処理を含む請求項４又は５に記載の画像形成装置。
【請求項７】
前記画像形成部は、表面に静電潜像が形成される感光体ドラムを備え、
前記第２の画像形成条件は、前記感光体ドラムの表面電位が前記第１の画像形成条件と異なる値に設定されているものである請求項１〜３のいずれか１項に記載の画像形成装置。
【請求項８】
前記評価処理は、バーの欠落状態を評価する処理を含み、
前記変更処理は、前記バーの欠落状態が予め定められた状態より著しいことにより前記一定の評価が得られなかったとき、前記感光体ドラムの表面電位が減少するように前記第２の画像形成条件を変更する処理を含む請求項７記載の画像形成装置。
【請求項９】
前記評価処理は、前記バーコードを構成するバーによる光反射率を評価する処理を含み、
前記変更処理は、前記光反射率が予め定められた状態より低いことにより前記一定の評価が得られなかったとき、前記感光体ドラムの表面電位が増大するように前記第２の画像形成条件を変更する処理を含む請求項７又は８に記載の画像形成装置。
【請求項１０】
前記評価処理は、隣接する異なる色の２つのバーの境界部分における画像データの変化の大きさを示すコントラストを評価する処理を含み、
前記変更処理は、前記コントラストが予め定められた状態より小さいことにより前記一定の評価が得られなかったとき、前記感光体ドラムの表面電位を変更する処理を含む請求項７〜９のいずれか１項に記載の画像形成装置。
【請求項１１】
前記画像形成部は、表面に静電潜像が形成された感光体ドラムの該静電潜像を顕像化するべく、直流電圧の供給を受けてトナーを前記感光体ドラムに供給する現像ローラを備え、
前記第２の画像形成条件は、前記現像ローラに印加する直流電圧が前記第１の画像形成条件と異なる値に設定されているものである請求項１〜３のいずれか１項に記載の画像形成装置。
【請求項１２】
前記評価処理は、バーの欠落状態を評価する処理を含み、
前記変更処理は、前記バーの欠落状態が予め定められた状態より著しいことにより前記一定の評価が得られなかったとき、前記直流電圧が増大するように前記第２の画像形成条件を変更する処理を含む請求項１１記載の画像形成装置。
【請求項１３】
前記評価処理は、前記バーコードを構成するバーによる光反射率を評価する処理を含み、
前記変更処理は、前記光反射率が予め定められた状態より低いことにより前記一定の評価が得られなかったとき、前記直流電圧が減少するように前記第２の画像形成条件を変更する処理を含む請求項１１又は１２に記載の画像形成装置。
【請求項１４】
前記評価処理は、隣接する異なる色の２つのバーの境界部分における画像データの変化の大きさを示すコントラストを評価する処理を含み、
前記変更処理は、前記コントラストが予め定められた状態より小さいことにより前記一定の評価が得られなかったとき、前記第２の画像形成条件における前記直流電圧を変更する処理を含む請求項１１〜１３のいずれか１項に記載の画像形成装置。
【請求項１５】
前記画像形成部は、表面に形成された静電潜像がトナーにより顕像化される感光体ドラムと、前記感光体ドラムとで前記シート体を挟持したときに、前記感光体ドラムの表面に形成された顕像を構成するトナーの極性と逆の極性を前記シート体に付与することにより、該トナーを前記シート体に転写させる転写ローラとを備え、
前記第２の画像形成条件は、前記転写ローラに供給する転写電流が前記第１の画像形成条件と異なる値に設定されているものである請求項１〜３のいずれか１項に記載の画像形成装置。
【請求項１６】
前記評価処理は、トナーのチリの状態を評価する処理を含み、
前記変更処理は、トナーのチリが予め定められた状態より多く存在することにより前記一定の評価が得られなかったとき、前記第２の画像形成条件における前記転写電流を増大させるように変更する処理を含む請求項１５記載の画像形成装置。
【請求項１７】
前記評価処理は、隣接する異なる色の２つのバーの境界部分における画像データの変化の大きさを示すコントラストを評価する処理を含み、
前記変更処理は、前記コントラストが予め定められた状態より小さいことにより前記一定の評価が得られなかったとき、前記転写電流が増大するように前記第２の画像形成条件を変更する処理を含む請求項１５又は１６に記載の画像形成装置。
【請求項１８】
前記画像データ取得部は、複数ページ分の画像データを取得し、
前記画像形成条件設定部は、前記画像データにおける１ページ毎に、前記画像形成条件設定処理を行う請求項１〜１７のいずれか１項に記載の画像形成装置。
【請求項１９】
前記画像形成条件設定処理の実行指示を受け付ける指示受付部をさらに備え、
前記画像形成条件設定部は、前記指示受付部によって前記実行指示が受け付けられた場合、前記画像形成条件設定処理を実行し、前記指示受付部によって前記実行指示が受け付けられていない場合、前記画像データ取得部により取得された画像データの中にバーコードを示すデータが含まれているか否かにかかわらず、該画像データに基づく画像形成動作の画像形成条件として前記第１の画像形成条件を設定する請求項１〜１８のいずれか１項に記載の画像形成装置。
【発明の詳細な説明】
【技術分野】
【０００１】
本発明は、画像形成装置の技術分野に属し、特に、バーコードを被記録媒体に記録する技術に関するものである。
【背景技術】
【０００２】
近年、プリンタなどの画像形成装置がバーコードを印刷する機会が増え、更にバーの細線化が進むに伴い、バーコードの印刷精度の向上が強く要求されている。例えば、特許第３３７０７１１号公報には、バーコードの印刷精度の向上を目的として、バーコードを黒太線、黒細線、白太線、白細線を用いて構成する場合に、インクのにじみを考慮して、本来バーコードの各線（バー）に要求される太さより細い線幅で各線を印字し、インクがにじんだ後の線幅が最適な太さになるように、各線を形成するドット数を決定する技術が開示されている。
【特許文献１】特許第３３７０７１１号公報
【発明の開示】
【発明が解決しようとする課題】
【０００３】
このように、前記特許文献１には、バーの太さにのみ着目し、前記黒太線、黒細線、白太線、白細線が適切な太さで印刷されることを目的とした技術が開示されている。
【０００４】
しかしながら、バーコードの印刷精度を決定するパラメータは、バーの太さだけではなく、バーの濃度、白線部分が確実に白色であるか否か、バーの一部分に欠落が生じていないか否かなどもある。特許第３３７０７１１号公報においては、このようなバーの太さ以外のパラメータについては考慮されておらず、バーコードの印刷精度を向上する余地があった。
【０００５】
また、バーコード以外の印刷も行う汎用の画像形成装置では、バーコードの画像品質を向上させるために線幅を細くするような画像処理を行うと、バーコード以外の通常の画像の品質が劣化してしまうおそれがある。
【０００６】
本発明の目的は、バーコード以外の通常画像の品質劣化を低減しつつ、バーコードの画像品質を向上することが可能な画像形成装置を提供することである。
【課題を解決するための手段】
【０００７】
本発明に係る画像形成装置は、画像を表す静電潜像をトナーで現像して得られるトナー像を転写することで画像を形成する電子写真プロセスを用いて、所定の搬送方向に搬送されるシート状の形状を有するシート体に対して画像を形成する画像形成部と、画像データを取得する画像データ取得部と、前記電子写真プロセスの条件として、第１の画像形成条件と、前記第１の画像形成条件とは異なり、バーコードの画像形成に適した第２の画像形成条件とを予め記憶する画像形成条件記憶部と、前記画像データ取得部により取得された画像データの中にバーコードを示すデータが含まれていないとき、該画像データに基づく画像形成動作の画像形成条件として前記第１の画像形成条件を設定し、前記画像データ取得部により取得された画像データの中にバーコードを示す画像データが含まれているとき、該画像データに基づく画像形成動作の画像形成条件として前記第２の画像形成条件を設定する画像形成条件設定処理を行う画像形成条件設定部と、前記シート体が排出される排出部と、前記画像形成条件設定部により設定された画像形成条件にしたがって、前記画像データ取得部により取得された画像データに基づく画像形成動作を前記画像形成部に実行させることにより前記シート体に画像を形成させて前記画像の形成された前記シート体を前記排出部へ排出させる画像形成処理を実行する画像形成制御部と、原稿の画像を読み取る読取動作を実行する原稿読取部と、前記画像データ取得部により取得された画像データの中にバーコードを示す画像データが含まれているとき、前記排出部に排出されたシート体を、前記原稿読取部の読取動作に供するようにユーザに案内する案内処理を実行する案内部と、前記案内部による案内後の前記原稿読取部による読取動作で得られたバーコードの画像データについて画質を評価する評価処理を実行する評価部とを備え、前記画像形成条件設定部は、前記評価部により一定の評価が得られなかったときに前記第２の画像形成条件を前記評価部による評価を高めるように変更する変更処理を実行する。
【０００８】
この構成によれば、画像データ取得部により取得された画像データの中にバーコードを示すデータが含まれていないとき、すなわちバーコードが含まれない通常の画像を画像形成しようとするときは、画像形成制御部が、画像データに基づく画像形成動作の画像形成条件として、通常の画像の画像形成に適した電子写真プロセスの第１の画像形成条件を設定する。これにより、画像形成部は、通常の画像の画像形成に適した画像形成条件にしたがって、画像データ取得部により取得された画像データに基づく画像形成を行うことが可能となるので、バーコード以外の通常画像の品質劣化を低減することが可能となる。
【０００９】
一方、画像データ取得部により取得された画像データの中にバーコードを示す画像データが含まれているとき、すなわちバーコードを画像形成しようとするときは、画像形成制御部が、画像データに基づく画像形成動作の画像形成条件として、第１の画像形成条件とは異なり、バーコードの画像形成に適した電子写真プロセスの第２の画像形成条件を設定する。これにより、画像形成部は、バーコードの画像形成に適した画像形成条件にしたがって、画像データ取得部により取得された画像データに基づく画像形成を行うことで、バーコードの画像品質を向上することが可能となる。この場合、電子写真プロセスの条件をバーコードの画像形成に適したものにすることが可能となるので、バーの太さ以外の要素についてもバーコードの画像品質を向上することが可能となる。その結果、バーコード以外の通常画像の品質劣化を低減しつつ、バーコードの画像品質を向上することが可能となる。
【００１０】
この構成によれば、前記評価部により一定の評価が得られなかったとき、前記第２の画像形成条件を前記評価部による評価を高めるように変更されるので、当該画像形成装置が保持している複数の画像形成条件の中で、バーコードの画像を形成するのに最も適した画像形成条件が設定される。
【００１１】
また、前記画像データ取得部により取得された画像データの中にバーコードを示す画像データが含まれているとき、前記評価部により前記一定の評価が得られるまで、前記画像形成制御部による前記画像形成処理、前記案内部による前記案内処理、前記原稿読取部による前記読取動作、前記評価部による前記評価処理、及び前記画像形成条件設定部による前記変更処理を繰り返し実行させる制御部をさらに備えることが好ましい。
【００１２】
また、前記画像形成条件設定部は、前記画像データ取得部により取得された画像データの中にバーコードを示す画像データが含まれているとき、前記搬送方向に前記被記録面をバーコードが存在する第１の範囲とそれ以外の第２の範囲とに分割し、前記第１の範囲に画像形成する対象の第１の画像データに基づく画像形成動作の画像形成条件として前記第２の画像形成条件を設定し、前記第２の範囲に画像形成する対象の第２の画像データに基づく画像形成動作の画像形成条件として前記第１の画像形成条件を設定することが好ましい。
【００１３】
バーコードのバーの太さやバーの濃度を適切にしたり、白線部分を確実に白くしたり、バーの一部に欠落が生じないようにしたりする、等のバーコードの画像品質を向上するような画像形成条件を用いて画像形成を行うと、画像データの中にバーコードの画像データとバーコード以外の画像データとが混在している場合、バーコード以外の部分における画像形成条件が、バーコードの画像形成に適した条件にはミスマッチとなり、バーコード以外の部分の画像品質が低下するおそれがある。
【００１４】
そこで、この構成によれば、前記画像データ取得部により取得された画像データの中にバーコードを示す画像データが含まれているとき、前記搬送方向に前記被記録面をバーコードが存在する第１の範囲とそれ以外の第２の範囲とに分割し、前記第１の範囲に画像形成する対象の第１の画像データに基づく画像形成動作の画像形成条件として、前記画像データ取得部により取得された画像データの中にバーコードを示す画像データが含まれていないときの画像形成条件（前記第１の画像形成条件）とは異なる画像形成条件（前記第２の画像形成条件）を設定するようにしたので、バーコードの画像形成に好適な画像形成条件でバーコードを含む部分の画像を形成し、通常画像の画像形成に適した画像形成条件でバーコードを含まない部分の画像を形成することができる。
【００１５】
また、前記画像データ取得部により取得された画像データの中にバーコードを示す画像データが含まれているとき、前記第２の範囲に画像形成する対象の第２の画像データに基づく画像形成動作の画像形成条件として前記第１の画像形成条件を設定するようにしたので、例えば被記録媒体が用紙である場合において、１枚の原稿の画像の中にバーコード以外の画像に適した画像形成条件で画像形成動作を行うことができる。
【００１６】
これらの結果、バーコードとそれ以外の画像とが混在する場合に、バーコードの画像の高い画質を確保しつつ、バーコード以外の画像の画質低下を低減することが可能となる。
【００１７】
また、前記画像形成部は、表面に静電潜像が形成された感光体ドラムの該静電潜像を顕像化するべく、交流電圧の供給を受けてトナーを前記感光体ドラムに供給する現像ローラを備え、前記画像データ取得部により取得された画像データに基づく画像形成動作の画像形成条件を決定するためのパラメータとして前記現像ローラに印加する交流電圧の周波数が用いられ、前記第２の画像形成条件を、前記現像ローラに印加する交流電圧の周波数が前記第１の画像形成条件と異なる値に設定されたものとするとよい。
【００１８】
また、前記評価処理は、トナーのチリの状態を評価する処理を含み、前記変更処理は、トナーのチリが予め定められた状態より多く存在することにより、前記評価部により一定の評価が得られなかったとき、前記第２の画像形成条件を、前記交流電圧の周波数が増大するように変更する処理を含むことが好ましい。
【００１９】
トナーを現像ローラから感光体ドラムに移動させる交流電圧の周波数を増大すると、トナーのチリが減少するので、トナーのチリが予め定められた状態より多く存在する場合、トナーを現像ローラから感光体ドラムに移動させる交流電圧の周波数を増大することで、トナーのチリを減少させて、評価部による評価を高めることができる。
【００２０】
また、前記評価処理は、隣接する異なる色の２つのバーの境界部分における画像データの変化の大きさを示すコントラストを評価する処理を含み、前記変更処理は、前記コントラストが予め定められた状態より小さいことにより前記一定の評価が得られなかったとき、前記第２の画像形成条件における前記交流電圧の周波数を変更する処理を含むことが好ましい。
【００２１】
トナーを顕像化するべく感光体ドラムへ移動させる交流電圧の周波数と画像のコントラストとの間には相関関係があるので、コントラストが予め定められた状態より低い場合、コントラストを高めるように交流電圧の周波数を変更することで、評価部による評価を高めることができる。
【００２２】
また、前記画像形成部は、表面に静電潜像が形成される感光体ドラムを備え、前記画像形成条件を決定するための他のパラメータとして、該感光体ドラムの表面電位が用いられ、前記第２の画像形成条件を、前記感光体ドラムの表面電位が前記第１の画像形成条件と異なる値に設定されたものとするとよい。
【００２３】
また、前記評価処理は、バーの欠落状態を評価する処理を含み、前記変更処理は、前記バーの欠落状態が予め定められた状態より著しいことにより前記一定の評価が得られなかったとき、前記感光体ドラムの表面電位が減少するように前記第２の画像形成条件を変更する処理を含むことが好ましい。
【００２４】
感光体ドラムの表面電位を減少させると、静電潜像が現像される際のトナー量が増大するので、濃度が濃い方のバー（例えば黒バー）の欠落状態が予め定められた状態より著しい場合に感光体ドラムの表面電位を減少させることで、トナー濃度を濃くしてバーの欠落を減少させて、評価部による評価を高めることができる。
【００２５】
また、前記評価処理は、前記バーコードを構成するバーによる光反射率を評価する処理を含み、前記変更処理は、前記光反射率が予め定められた状態より低いことにより前記一定の評価が得られなかったとき、前記感光体ドラムの表面電位が増大するように前記第２の画像形成条件を変更する処理を含むことが好ましい。
【００２６】
感光体ドラムの表面電位を増大させると、静電潜像が顕像化される際のトナー量が減少するので、濃度が薄い方のバー（例えば白バー）の光反射率が予め定められた状態より低い（濃度が濃い）場合に感光体ドラムの表面電位を増大させることで、トナー濃度を薄くしてバーの光反射率を高めることで、評価部による評価を高めることができる。
【００２７】
また、前記評価処理は、隣接する異なる色の２つのバーの境界部分における画像データの変化の大きさを示すコントラストを評価する処理を含み、前記変更処理は、前記コントラストが予め定められた状態より小さいことにより前記一定の評価が得られなかったとき、前記感光体ドラムの表面電位を変更する処理を含むことが好ましい。
【００２８】
感光体ドラムの表面電位と画像のコントラストとの間には相関関係があるので、コントラストが予め定められた状態より小さい（低い）場合、コントラストを高めるように感光体ドラムの表面電位を変更することで、評価部による評価を高めることができる。
【００２９】
また、前記画像形成部は、表面に静電潜像が形成された感光体ドラムの該静電潜像を顕像化するべく、直流電力の供給を受けてトナーを前記感光体ドラムに供給する現像ローラが備え、前記画像形成条件を決定するための他のパラメータとして、該現像ローラに印加する直流電圧が用いられ、前記第２の画像形成条件を、前記現像ローラに印加される直流電圧が前記第１の画像形成条件と異なる値に設定されたものとするとよい。
【００３０】
また、前記評価処理は、バーの欠落状態を評価する処理を含み、前記変更処理は、前記バーの欠落状態が予め定められた状態より著しいことにより前記一定の評価が得られなかったとき、前記直流電圧が増大するように前記第２の画像形成条件を変更する処理を含むことが好ましい。
【００３１】
現像ローラへ供給される直流電圧が増大すると、静電潜像が顕像化される際のトナー量が増大するので、濃度が濃い方のバー（例えば黒バー）の欠落状態が予め定められた状態より著しい場合に現像ローラへ供給される直流電圧を増大させることで、トナー濃度を濃くしてバーの欠落を減少させ、評価部による評価を高めることができる。
【００３２】
また、前記評価処理は、前記バーコードを構成するバーによる光反射率を評価する処理を含み、前記変更処理は、前記光反射率が予め定められた状態より低いことにより前記一定の評価が得られなかったとき、前記直流電圧が減少するように前記第２の画像形成条件を変更する処理を含むことが好ましい。
【００３３】
現像ローラへ供給される直流電圧が減少すると、静電潜像が顕像化される際のトナー量が減少するので、濃度が薄い方のバー（例えば白バー）の光反射率が予め定められた状態より低い（濃度が濃い）場合に当該直流電圧を減少させることで、トナー濃度を薄くしてバーの光反射率を高めることで、評価部による評価を高めることができる。
【００３４】
また、前記評価処理は、隣接する異なる色の２つのバーの境界部分における画像データの変化の大きさを示すコントラストを評価する処理を含み、前記変更処理は、前記コントラストが予め定められた状態より小さいことにより前記一定の評価が得られなかったとき、前記第２の画像形成条件における前記直流電圧を変更する処理を含むことが好ましい。
【００３５】
現像ローラへ供給される直流電圧と画像のコントラストとの間には相関関係があるので、コントラストが予め定められた状態より小さい（低い）場合、コントラストを高めるように現像ローラへ供給される直流電圧を変更することで、評価部による評価を高めることができる。
【００３６】
また、前記画像形成部は、表面に形成された静電潜像がトナーにより顕像化される感光体ドラムと、前記感光体ドラムとで前記シート体を挟持したときに、前記感光体ドラムの表面に形成された顕像を構成するトナーの極性と逆の極性を前記シート体に付与することにより、該トナーを前記シート体に転写させる転写ローラとを備え、前記第２の画像形成条件は、前記転写ローラに供給する転写電流が前記第１の画像形成条件と異なる値に設定されたものとするとよい。
【００３７】
また、前記評価処理は、トナーのチリの状態を評価する処理を含み、前記変更処理は、トナーのチリが予め定められた状態より多く存在することにより前記一定の評価が得られなかったとき、前記第２の画像形成条件における前記転写電流を増大させるように変更する処理を含むことが好ましい。
【００３８】
転写電流が増大すると、トナーのチリが減少するので、トナーのチリが予め定められた状態より多く存在する場合、転写電流を増大することで、トナーのチリを減少させて、評価部による評価を高めることができる。
【００３９】
また、前記評価処理は、隣接する異なる色の２つのバーの境界部分における画像データの変化の大きさを示すコントラストを評価する処理を含み、前記変更処理は、前記コントラストが予め定められた状態より小さいことにより前記一定の評価が得られなかったとき、前記転写電流が増大するように前記第２の画像形成条件を変更する処理を含むことが好ましい。
【００４０】
転写電流が増大すると、画像のコントラストが増大する（高くなる）ので、コントラストが予め定められた状態より小さい場合、転写電流を増大することで、コントラストを増大（高く）させて、評価部による評価を高めることができる。
【００４１】
また、前記画像データ取得部は、複数ページ分の画像データを取得し、前記画像形成条件設定部は、前記画像データにおける１ページ毎に、前記画像形成条件設定処理を行うことが好ましい。
【００４２】
この構成によれば、バーコードを含まないページは通常の画像形成に適した第１の画像形成条件を用いて画像形成され、バーコードを含むページはバーコードの画像形成に適した第２の画像形成条件を用いて画像形成されるので、バーコードを含まないページの画像品質の低下を防止しつつ、バーコードの画像品質を向上させることができる。
【００４３】
また、前記画像形成条件設定処理の実行指示を受け付ける指示受付部をさらに備え、前記画像形成条件設定部は、前記指示受付部によって前記実行指示が受け付けられた場合、前記画像形成条件設定処理を実行し、前記指示受付部によって前記実行指示が受け付けられていない場合、前記画像データ取得部により取得された画像データの中にバーコードを示すデータが含まれているか否かにかかわらず、該画像データに基づく画像形成動作の画像形成条件として前記第１の画像形成条件を設定することが好ましい。
【００４４】
この構成によれば、ユーザは、バーコードの画像品質を向上したいときは、指示受付部を用いて画像形成条件設定処理の実行指示を行うことで、バーコードに適した第２の画像形成条件を用いて画像形成されるので、被記録媒体に形成されるバーコードの画像品質を向上させることが可能となる。一方、ユーザは、バーコードよりも通常画像の画像品質を優先させたいときは、指示受付部による画像形成条件設定処理の実行指示を行わなければ、画像データの中にバーコードが含まれているか否かにかかわらず、通常の画像形成に適した第１の画像形成条件を用いて画像形成されるので、被記録媒体に形成される通常画像の品質の低下が防止される。
【発明の効果】
【００４５】
本発明によれば、バーコード以外の通常画像の品質劣化を低減しつつ、バーコードの画像品質を向上することが可能となる。
【発明を実施するための最良の形態】
【００４６】
以下、本発明に係る画像形成装置の実施形態を説明する。なお、各図において同一の符号を付した構成は、同一の構成であることを示し、その説明を省略する。図１は、本発明に係る画像形成装置の第１の実施形態の構成を示す図である。
【００４７】
図１に示すように、画像形成装置１は、当該装置の上部に配設された原稿読取部８０２と、原稿読取部８０２の上方に配設された原稿給送部８０３とを備える。
【００４８】
原稿読取部８０２は、ＣＣＤ(Charge Coupled Device)センサ及び露光ランプ等からなるスキャナ部８１１と、ガラス等の透明部材により構成された原稿台８１２及び原稿読取スリット８１３とを備える。
【００４９】
スキャナ部８１１は、図略の駆動部により原稿面に沿って図１の左右方向に移動可能に構成されており、前記ＣＣＤセンサは、この移動方向に直交する方向（図１における紙面に直交する方向）に前記画素列が並ぶように設置されている。
【００５０】
スキャナ部８１１は、原稿台８１２に載置された原稿を読み取るときは、原稿台８１２に対向する位置で原稿面に沿って図１の左右方向に移動され、原稿画像を走査しつつ取得した画像データを制御部１００（図３）へ出力する。また、原稿給送部８０３により給送された原稿を読み取るときは、原稿読取スリット８１３と対向する位置に移動され、原稿読取スリット８１３を介して原稿給送部８０３による原稿の搬送動作と同期して原稿の画像を取得し、その画像データを制御部１００へ出力する。
【００５１】
原稿給送部８０３は、原稿を載置するための原稿載置部８１４と、画像読み取り済みの原稿を排出するための原稿排出部８１５と、原稿載置部８１４に載置された原稿を１枚ずつ繰り出して原稿読取スリット８１３に対向する位置へ搬送し、原稿排出部８１５へ排出するための給紙ローラや搬送ローラ（図示せず）等からなる原稿搬送機構８１６とを備える。原稿搬送機構８１６は、さらに原稿を表裏反転させて原稿読取スリット８１３と対向する位置へ再搬送する用紙反転機構（図示せず）を備え、原稿の両面の画像を、原稿読取スリット８１３を介してスキャナ部８１１から読取可能にしている。
【００５２】
また、原稿給送部８０３は、その前面側が上方に移動可能となるように装置本体に対して回動自在に設けられている。原稿給送部８０３の前面側を上方に移動させて原稿台８１２の上面を開放することにより、原稿台８１２の上面に読み取り原稿、例えば見開き状態にされた書籍等を操作者が載置できるようになっている。
【００５３】
画像形成装置１のフロント部には、操作部８０４が設けられている。この操作部８０４には、バーコードモードの設定を指示するバーコードキー８０１（指示受付部）と、ユーザが印刷実行指示を入力するためのスタートキー８０５と、印刷部数等を入力するためのテンキー８０６と、各種複写動作の操作ガイド情報等を表示し、これら各種設定入力用にタッチパネル機能を有する液晶ディスプレイ等からなる表示部８０７と、表示部８０７で設定された設定内容等をリセットするリセットキー８０８と、実行中の印刷（画像形成）動作を停止させるためのストップキー８０９と、当該画像形成装置１に備えられる各種の機能を切り換えるための機能切換キー８１０が備えられている。
【００５４】
画像形成装置１は、印刷処理に供する用紙Ｐ（被記録媒体）を貯留する用紙貯留部１２と、この用紙貯留部１２に貯留された用紙束Ｐ１から繰り出された１枚ずつの用紙Ｐに対して画像の転写処理を施す画像形成部１３と、この画像形成部１３で転写処理の施された用紙Ｐに対して定着処理を施す定着装置１４と、定着装置１４で定着処理の施された用紙Ｐが排紙される排紙部１５とを有する。
【００５５】
用紙貯留部１２には、所定数（本実施形態では１つ）の用紙カセット１２１が装置本体１１に対して挿脱自在に設けられている。用紙カセット１２１の上流端（図１の右方）には、用紙束Ｐ１から１枚ずつの用紙Ｐを繰り出させるピックアップローラ１２２が設けられている。このピックアップローラ１２２の駆動によって用紙カセット１２１から繰り出された用紙Ｐは、給紙搬送路１２３およびこの給紙搬送路１２３の下流端に設けられたレジストローラ対１２４を介して画像形成部１３に給紙されるようになっている。
【００５６】
画像形成部１３は、コンピュータ等から、後述する伝送路１１０を介して外部通信Ｉ／Ｆ部１１１へ送信された画像情報に基づき用紙Ｐにトナー画像の転写処理を施すものであり、前後方向（図１の紙面と直交する方向）に延びるドラム軸回りに回転可能に設けられた感光体ドラム２０の周面に沿うように、当該感光体ドラム２０の直上位置から時計方向に向けて帯電ローラ３０（帯電部）、露光装置４０、現像装置５０（現像部）、転写ローラ６０（転写部）およびクリーニング装置７０が配設されることによって形成されている。
【００５７】
感光体ドラム２０は、周面に静電潜像を形成させた後にこの静電潜像に沿ったトナー像を形成させるためのものであり、周面にアモルファスシリコン層が積層され、これによってこれらの像を形成させるのに適したものになっている。かかる感光体ドラム２０は、装置本体１１の略中央部で前後方向（図１の紙面に直交する方向）に延びるドラム軸に同心で一体的に軸支され、図略の駆動手段の駆動によるドラム軸の時計方向に向かう駆動回転によって当該ドラム軸と一体回転し得るようになっている。
【００５８】
帯電ローラ３０は、ドラム芯回り時計方向に回転している感光体ドラム２０の周面に一様な電荷を形成させるものであり、周面が感光体ドラム２０の周面と当接しながら従動回転しつつ当該感光体ドラム２０へ電荷を付与するようになっている。なお、帯電ローラ３０に代えてワイヤからのコロナ放電により感光体ドラム２０の周面に電荷を付与するコロナ放電方式のものを採用してもよい。
【００５９】
露光装置４０は、コンピュータ等の外部の機器から電送されてきた画像データに基づき強弱の付与されたレーザー光を回転している感光体ドラム２０の周面に照射し、これによるレーザー光が照射された部分で電荷を消去させることによって当該周面に静電潜像を形成させるものである。
【００６０】
現像装置５０は、感光体ドラム２０の周面に現像剤であるトナーを供給することによって周面の静電潜像が形成された部分にトナーを付着させ、これによって感光体ドラム２０の周面にトナー像を形成させるものである。本実施形態においては、現像剤としてトナーのみからなる、いわゆる１成分系のものが採用されている。なお、本発明に係る画像形成装置は、現像剤がトナーのみからなる１成分系のものであることに限定されるものではなく、現像剤がトナーとキャリアとからなる、いわゆる２成分系のものであってもよい。
【００６１】
転写ローラ６０は、感光体ドラム２０の直下位置に送り込まれた用紙Ｐに対して当該感光体ドラム２０の周面に形成されているプラスに帯電したトナー像を用紙Ｐに転写させるものであり、トナー像の電荷と逆極性であるマイナスの電荷を用紙Ｐに付与するようになっている。
【００６２】
従って、感光体ドラム２０の直下位置を越えた用紙Ｐは、転写ローラ６０と感光体ドラム２０とによって押圧挟持されつつ、プラスに帯電した感光体ドラム２０周面のトナー像がマイナスに帯電した用紙Ｐの表面に向けて引き剥がされ、これによって用紙Ｐに対し転写処理が施されることになる。
【００６３】
クリーニング装置７０は、転写処理後の感光体ドラム２０の周面に残留しているトナーを取り除いて清浄化するためのものである。このクリーニング装置７０によって清浄化された感光体ドラム２０の周面は、次の画像形成処理のために再び帯電ローラ３０へ向かうことになる。
【００６４】
定着装置１４は、画像形成部１３によって転写処理の施された用紙Ｐのトナー像に加熱による定着処理を施すものであり、内部にハロゲンランプ等の通電発熱体が装着されたヒートローラ１４１と、このヒートローラ１４１の下部で周面が対向配置された加圧ローラ１４２とを備えて構成されている。そして、転写処理後の用紙Ｐは、ローラ芯回りに時計方向に向けて駆動回転しているヒートローラ１４１と、ローラ芯回りに反時計方向に向けて従動回転している加圧ローラ１４２との間のニップ部を通過することによって、ヒートローラ１４１からの熱を得て定着処理が施されるようになっている。定着処理の施された用紙Ｐは、排紙搬送路１４３を通って排紙部１５へ排出されることになる。
【００６５】
排紙部１５は、装置本体１１の頂部が凹没されることによって形成され、この凹没した凹部の底部に排紙された用紙Ｐを受ける排紙トレイ１５１が形成されている。
【００６６】
図２は、図１に示す画像形成部１３の構成の一例を詳細に示す説明図である。なお、図２では、感光体ドラム２０の構成要素および用紙Ｐの厚み寸法を誇張して示している。図２に示すように、感光体ドラム２０は、例えば、ドラム軸２１と、このドラム軸２１回りに同心で回転可能に装着されたアルミニウム合金製のアルミ素管２２と、このアルミ素管２２の周面に蒸着処理等により均一に積層されて形成されたアモルファスシリコン層２３とを備えている。かかる感光体ドラム２０は、図略のドラムモータの駆動で時計方向に向けて回転するようになっている。
【００６７】
アモルファスシリコン層２３は、シリコン（Ｓｉ）や、シリコンの化合物（ＳｉＣ、ＳｉＯ、ＳｉＯＮ等）が固溶体状で固化したものであり、通常、スパッタリング処理等の物理的な蒸着処理によって形成される。かかるアモルファスシリコン層２３（特にＳｉＣ製のもの）は、高抵抗であることによる優れた帯電能力を備えていると共に、耐摩耗性や耐環境性にも優れ、静電潜像やトナー像を形成させる材料として好適である。
【００６８】
帯電ローラ３０には、帯電ローラ用電源３３が接続されている。帯電ローラ用電源３３は、制御部１００からの制御信号に応じて電圧値が設定された直流の帯電電圧Ｖｄｃ３を帯電ローラ３０へ印加する。
【００６９】
帯電ローラ３０は、周面が感光体ドラム２０の周面（すなわちアモルファスシリコン層２３）に当接された状態で、帯電ローラ用電源３３からの帯電電圧Ｖｄｃ３をアモルファスシリコン層２３へ印加するものであり、金属製の帯電ローラ軸３１と、この帯電ローラ軸３１に同心で一体的に外嵌されたエラストマー等の誘電材料製の帯電ローラ本体３２とからなっている。
【００７０】
かかる帯電ローラ３０は、帯電ローラ用電源３３からのプラスの電圧が帯電ローラ軸３１に印加されることにより帯電ローラ本体３２の周面にプラスの電荷が形成された状態で、感光体ドラム２０のドラム軸２１回りの時計方向へ向かう回転に従動しながら軸心回りに反時計方向に回転し、感光体ドラム２０の表面電位を例えば４００Ｖに帯電させ、アモルファスシリコン層２３に一様なプラスの電荷を形成させるようにされている。
【００７１】
露光装置４０は、帯電ローラ３０によってアモルファスシリコン層２３に形成された一様な電荷面に対して電送されてきた画像情報に基づく強弱を備えたレーザー光線を照射し、これによってドラム軸２１回りに回転している感光体ドラム２０の周面（アモルファスシリコン層２３）にプラスの電荷が消失するか或いは極めて少なくなった静電潜像を形成させるようになっている。因みに、図２では、露光装置４０によって照射された感光体ドラム２０の周面は、プラスの電荷を示す「＋」記号を消去している。
【００７２】
現像装置５０は、露光装置４０によって形成された感光体ドラム２０のアモルファスシリコン層２３に対しトナーＴを供給して静電潜像に沿ったトナー像Ｓを形成させるものであり、内部にトナーが装填された箱形の現像装置本体５１内に周面の一部を露出させた状態で現像ローラ５２が装着されて構成されている。そして、現像装置５０は、現像装置本体５１内に装填されたトナーＴ（図２において円内に「＋」記号を付してトナーＴを表現している）を感光体ドラム２０のドラム軸２１と平行な軸心回りに回転している現像ローラ５２の周面からドラム軸２１回りに回転しているアモルファスシリコン層２３に供給することによりアモルファスシリコン層２３の表面にトナー像Ｓを形成させる。
【００７３】
現像装置本体５１における感光体ドラム２０の周面と対向した壁面には、現像装置本体５１内のトナーＴを感光体ドラム２０の周面に受け渡すためのトナー供給開口５１１が設けられ、現像装置本体５１内のトナーＴは、このトナー供給開口５１１を介し現像ローラ５２の回転に応じて感光体ドラム２０の周面に供給される。
【００７４】
現像ローラ５２は、ドラム軸２１と平行に配された非回転の現像ローラ軸５２１と、この現像ローラ軸５２１に同心で一体的に外嵌された固定マグネット５２３と、この固定マグネット５２３に外嵌されて現像ローラ軸５２１回りに駆動回転する現像スリーブ５２２とを備えて構成されている。現像スリーブ５２２はＳＵＳやアルミなどの金属、導電性樹脂等によって形成されている。
【００７５】
かかる現像ローラ５２には、現像用交流電源５３１と現像用直流電源５３２とが直列に接続されている。現像用交流電源５３１及び現像用直流電源５３２は、制御部１００からの制御信号に応じて電圧値が設定された交流電圧Ｖａｃ１及び直流電圧Ｖｄｃ１をそれぞれ出力する。そして、現像用直流電源５３２から出力される直流電圧Ｖｄｃ１と現像用交流電源５３１から出力される交流電圧Ｖａｃ１とが重畳されて得られた現像電圧Ｖ１が、現像ローラ５２に印加される。例えば、交流電圧Ｖａｃ１はＡＣ１．５ｋＶ、３．５ｋＨｚに設定され、直流電圧Ｖｄｃ１はＤＣ３００Ｖに設定される。
【００７６】
さらに、現像ローラ５２に直流電圧Ｖｄｃ１と交流電圧Ｖａｃ１とが重畳された現像電圧Ｖ１が印加されることにより、現像スリーブ５２２の周面がプラスに帯電され、図略の現像ローラ用モータの駆動により現像スリーブ５２２が現像ローラ軸５２１回りに反時計方向に向けて回転し、これによって現像装置本体５１内のトナーＴをプラスに帯電させつつ感光体ドラム２０のアモルファスシリコン層２３に供給するようになっている。
【００７７】
現像装置本体５１のトナー供給開口５１１の上縁部には、回転に応じて現像スリーブ５２２の周面から感光体ドラム２０へ供給されるトナーＴの厚み寸法を均一な所定のレベルに揃えるためのトナー層規制ブレード５４が設けられ、トナーＴは、このトナー層規制ブレード５４を潜ることによって感光体ドラム２０に対する過供給が防止されるようになっている。因みに本実施形態においては、このトナー層規制ブレード５４と現像スリーブ５２２との隙間寸法（ギャップ）は、１００μｍに設定されている。
【００７８】
転写ローラ６０は、感光体ドラム２０の周面に形成されているトナー像Ｓの電荷の極性と反対の極性（本実施形態ではマイナスの極性）を付与することによってアモルファスシリコン層２３からトナー像Ｓを剥がし取り、この剥がされたトナー像Ｓを転写ローラ６０の周面とアモルファスシリコン層２３との間を搬送されつつある用紙Ｐ上に転写させるものである。
【００７９】
かかる転写ローラ６０には、転写用直流電源６３２が接続されている。転写用直流電源６３２は、制御部１００からの制御信号に応じて電圧値が設定された直流電圧Ｖｄｃ２を出力する。そして、転写用直流電源６３２から出力される直流電圧Ｖｄｃ２、すなわち転写電圧Ｖ２が、転写ローラ６０に印加される。例えば、直流電圧Ｖｄｃ２はＤＣ−３ｋＶに設定されており、転写電圧Ｖ２は、マイナスの極性になるようにされている。
【００８０】
そして、転写ローラ６０は、感光体ドラム２０のドラム軸２１と平行な転写ローラ軸６１と、この転写ローラ軸６１に同心で一体回転可能に外嵌された転写ローラ本体６２とを備えて構成され、転写用直流電源６３２からのマイナスの転写電圧Ｖ２が印加されるようになっている。従って、用紙Ｐが転写ローラ本体６２の周面と密着状態で当該転写ローラ本体６２と感光体ドラム２０のアモルファスシリコン層２３との間を搬送されることにより、プラスに帯電したトナーＴからなるトナー像Ｓが、マイナスに帯電した用紙Ｐの表面側に静電気的に吸着され、これによって感光体ドラム２０の周面に形成されたトナー像Ｓの、用紙Ｐへの転写が行われる。
【００８１】
クリーニング装置７０は、感光体ドラム２０のアモルファスシリコン層２３表面のトナー像Ｓが用紙Ｐに転写された後にアモルファスシリコン層２３に残留している残留トナーＴ１を除去するためのものである。かかるクリーニング装置７０は、箱形のクリーニング装置本体７１内の下部に装着された周面が感光体ドラム２０の周面（アモルファスシリコン層２３）と当接するクリーニングローラ７２と、先端が感光体ドラム２０の周面に当接するようにクリーニング装置本体７１内の上部に装着されたクリーニングブレード７３と備えて構成されている。
【００８２】
クリーニングローラ７２は、ドラム軸２１と平行なローラ軸７２１周りに同心で一体的に形成されている。かかるクリーニングローラ７２は、弾性変形し得るとともに、優れた強靱性を有する合成樹脂材料によって形成されている。
【００８３】
このようなクリーニングローラ７２がローラ軸回りに感光体ドラム２０の周速度より速い周速度で感光体ドラム２０と反対方向（図２に示す例では反時計方向）に向けて回転することにより、アモルファスシリコン層２３表面を摺擦しコロナ生成物などの付着物を除去して清浄化する。
【００８４】
クリーニングブレード７３は、感光体ドラム２０の周面に対する仕上げの清浄化部材であり、ゴムなどの弾性材料によって板状に形成されている。かかるクリーニングブレード７３は、感光体ドラム２０の周面のアモルファスシリコン層２３に向けて先下がりに傾斜してクリーニング装置本体７１内の上部位置に装着され、若干弾性変形した状態で先端のブレード刃７３１がアモルファスシリコン層２３に当接されている。従って、クリーニングローラ７２を介してブレード刃７３１に到達したアモルファスシリコン層２３から、クリーニングローラ７２で除去し得なかった残留トナーＴ１が感光体ドラム２０の時計方向へ向かう回転に応じて掻き落とされることになる。
【００８５】
そして、クリーニングローラ７２およびクリーニングブレード７３によって除去されたアモルファスシリコン層２３の残留トナーＴ１は、クリーニング装置本体７１内に導入されて一時貯留された後に所定の搬送手段の駆動により装置本体１１（図１）内に設けられた図略の回収ボトルへ回収される。
【００８６】
また、感光体ドラム２０、露光装置４０、現像装置５０、クリーニング装置７０は、それぞれ例えば着脱可能なユニットとして一体的にカートリッジ化されたプロセスカートリッジとして構成されている。
【００８７】
図３は、図１に示す画像形成装置１の電気的構成の一例を示すブロック図である。感光体ドラム２０、露光装置４０、現像装置５０、クリーニング装置７０を構成する各プロセスカートリッジには、ＥＥＰＲＯＭ（Electrically Erasable and Programmable Read Only Memory）８１，８２，８３，８４が、それぞれ設けられている。ＥＥＰＲＯＭ８１，８２，８３，８４は、例えばＩ２Ｃ（Inter Integrated Circuit）方式のシリアル通信インターフェイスを備えたＥＥＰＲＯＭであり、それぞれ各プロセスカートリッジの製造シリアル番号、当該プロセスカートリッジの種類、あるいは当該プロセスカートリッジを用いて画像形成が行われた回数等、各プロセスカートリッジに関する種々の情報が記憶されている。
【００８８】
外部通信Ｉ／Ｆ部１１１は、例えばＬＡＮ（Local Area Network）やＵＳＢ（Universal Serial Bus）等の伝送路１１０を介してパーソナルコンピュータ等の外部機器に接続され、外部機器との間で通信信号を送受信するためのインターフェイス回路である。外部通信Ｉ／Ｆ部１１１は、制御部１００からのデータを外部機器で受信可能な通信信号に変換すると共に外部機器からの通信信号、例えば画像データを制御部１００が処理可能な形式のデータに変換する。用紙搬送部１２０は、ピックアップローラ１２２、給紙搬送路１２３、レジストローラ対１２４、及び排紙搬送路１４３等からなる用紙搬送機構である。
【００８９】
制御部１００は、伝送路１１０を介して接続されたパーソナルコンピュータ等の外部機器から、外部通信Ｉ／Ｆ部１１１へ送信された画像データに基づいて、用紙搬送部１２０、帯電ローラ３０、帯電ローラ用電源３３、露光装置４０、現像装置５０、現像用交流電源５３１、現像用直流電源５３２、転写ローラ６０、転写用直流電源６３２、クリーニング装置７０、及び定着装置１４の動作を制御することにより、画像形成を行わせる制御回路である。
【００９０】
制御部１００は、例えば所定の演算処理を実行するＣＰＵ（Central Processing Unit）と、所定の制御プログラムが記憶された不揮発性のＲＯＭ（Read Only Memory）と、データを一時的に記憶するＲＡＭ（Random Access Memory）と、その周辺回路等とを備えて構成されている。そして、制御部１００は、例えばＲＯＭに記憶された制御プログラムを実行することにより、用紙搬送部１２０、帯電ローラ３０、帯電ローラ用電源３３、露光装置４０、現像装置５０、現像用交流電源５３１、現像用直流電源５３２、転写ローラ６０、転写用直流電源６３２、クリーニング装置７０、及び定着装置１４の動作を制御する。
【００９１】
以上の構成に加えて、制御部１００は、例えばＲＯＭに記憶された制御プログラムを実行することにより、画像データ取得部１０１と、バーコード検出部１０２と、画像形成条件設定部１０３と、テーブル記憶部１０４と、画像形成制御部１０５と、案内部１０６と、評価部１０７として機能する。
【００９２】
画像データ取得部１０１は、原稿読取部８０２の読取動作により得られた画像データ及び外部通信Ｉ／Ｆ部１１１により受信した外部機器からの画像データを取得するものである。
【００９３】
バーコード検出部１０２は、画像データ取得部１０１により取得された画像データの中に、バーコードを示す画像データが含まれているか否かを検出するものである。バーコードを示す画像データが含まれているか否かの検出は、該画像データの中におけるバーコードの存在を示すコマンドの有無により行われる。なお、本実施形態では、白バーと黒バーとにより構成されるバーコードを想定しているが、本件は、これに限らず、異なる複数色のバーにより構成されるバーコードに適用できる。
【００９４】
画像形成条件設定部１０３は、画像データ取得部１０１により取得された画像データに基づく画像形成動作を用紙に対して実行するときの画像形成条件を設定するものである。
【００９５】
ここで、注目すべきは、バーコードの画像形成精度を向上するべく、バーコードの画像データに基づく画像形成動作を用紙に対して実行するときの画像形成条件が、バーコード以外の画像データに基づく画像形成動作（通常の画像形成動作）を用紙に対して実行するときの画像形成条件とは別に予め設定されている点である。
【００９６】
本実施形態では、前記画像形成条件を決定するためのパラメータとして、例えばＡＮＳＩによる評価を向上させるためには、前記画像形成条件（画像品質を決定するパラメータ）として、前記現像用直流電源５３２から出力される直流電圧Ｖｄｃ１（以下、現像バイアスという）、前記現像用交流電源５３１から出力される交流電圧Ｖａｃ１の周波数（以下、現像周波数という）、及び前記転写用直流電源６３２から出力される直流電圧Ｖｄｃ２に応じて転写ローラ６０から流出する電流（以下、転写電流）が設定されている。
【００９７】
これらのパラメータは、例えばＡＮＳＩ（American national Standards Institute）で規定されたバーコードの印刷規格に基づいて設定されている。すなわち、このＡＮＳＩによる評価項目として、例えばトナーのチリ（トナーをのせるべきでない部分（白部分）にもトナーがのる状態）、バーの白抜け（欠落）、バーの光反射率（トナー濃度に反比例するパラメータ）等がある。そして、トナーのチリの態様は、現像周波数や転写電流の値に応じて変化し、現像周波数を大きくしたり転写電流を大きくしたりすることで、トナーのチリ発生を抑制することができる。また、バーの白抜けは、トナー量が少ないことにより生じるため、現像バイアス（直流電圧）を大きくしたり感光体ドラム２０の表面電位を小さくしたりすることで、バーの白抜け発生を抑制することができる。また、白バーの光反射率が低く（トナー濃度が濃く）、かぶり（白紙部に対応する部位にもトナーがのる現象）が発生している場合には、現像バイアスを小さくしたり感光体ドラム２０の表面電位を大きくしたりしてトナー量を少なくすることで光反射率を高く（トナー濃度を薄く）することができ、逆に、黒バーの光反射率が高い（トナー濃度が薄い）場合には、現像バイアスを大きくしたり感光体ドラム２０の表面電位を小さくしたりすることでトナー量を多くすることで、光反射率を低く（トナー濃度を濃く）することができる。
【００９８】
また、これらの評価項目の他に、例えばコントラスト（黒バーと白バーの境界部分（後述する図７（ｂ）に示す矢印Ｄ，Ｅ）における画像データの変化の大きさ）がある。転写電流を大きくしたり現像周波数を大きくしたり、或いは、現像バイアス及び感光体ドラム２０の表面電位の組み合わせを最適化したりすることで、コントラストを向上することができる。
【００９９】
テーブル記憶部１０４（画像形成条件記憶部）は、前記画像形成条件をテーブル形式で予め記憶するものである。図４は、テーブル記憶部１０４に記憶されている画像形成条件テーブルの一例を示す図である。なお、図４は、前記画像形成条件に係る前記各パラメータのうち、現像周波数と感光体ドラム２０の表面電位とをパラメータとして設定された画像形成条件テーブルを示している。
【０１００】
図４に示すテーブルにおいては、現像周波数がα（ｋＨｚ）、感光体ドラム２０の表面電位がβ（Ｖ）である画像形成条件（以下、画像形成条件１という）と、現像周波数が（α−３）ｋＨｚ、感光体ドラム２０の表面電位が（β＋１０）Ｖである画像形成条件（以下、画像形成条件２という）と、現像周波数が（α−６）ｋＨｚ、感光体ドラム２０の表面電位が（β＋２０）Ｖである画像形成条件との３種類の画像形成条件（以下、画像形成条件３という）が設定されている。なお、画像形成条件は、前記画像形成条件１〜３に限られるものではない。なお、ここでは、バーコード以外の通常の画像データに基づいて行う画像形成動作については、画像形成条件１が好適であるとする。
【０１０１】
画像形成条件設定部１０３は、バーコードキー８０１が押下されることによって、画像形成条件設定処理の実行指示が受け付けられると、バーコードモードに移行して、後述する画像形成条件設定処理の実行を開始する。
【０１０２】
一方、画像形成条件設定部１０３は、バーコードキー８０１が押下されることがなく、すなわち画像形成条件設定処理の実行指示が受け付けられない場合には、通常モードにおいて、通常の画像に適した画像形成条件１を、画像形成条件として設定する。
【０１０３】
画像形成条件設定部１０３は、バーコードモードにおいて、画像形成条件設定処理として、画像データ取得部１０１により取得された画像データ中にバーコードを示す画像データが含まれておらず、前記画像データがバーコード以外の画像データ（例えばテキストの画像データや写真の画像データ）であるとバーコード検出部１０２により判断されたときには、テーブル記憶部１０４に格納されている画像形成条件テーブルの例えば画像形成条件１を読出し、該画像データに基づく画像形成動作における画像形成条件として前記画像形成条件１を設定する。
【０１０４】
一方、画像形成条件設定部１０３は、画像データ取得部１０１により取得された画像データの中にバーコードを示す画像データが含まれているとバーコード検出部１０２により判断されたときには、前記搬送方向に前記用紙の被記録面をバーコードが存在する第１の範囲とそれ以外の第２の範囲とに分割した場合に、前記第１の範囲に画像形成を行う対象の第１の画像データに基づく画像形成動作の画像形成条件として前記画像形成条件２又は３を設定し、前記第２の範囲に画像形成を行う対象の第２の画像データに基づく画像形成動作の画像形成条件として前記画像形成条件１を設定する。
【０１０５】
すなわち、図５に示すように、矢印Ｘの方向に被記録媒体としての用紙が搬送されており、該用紙に、位置Ｌ１の端部から位置Ｌ４の端部に向けて画像が形成されるものとする。この場合において、画像形成条件設定部１０３は、該用紙のうち位置Ｌ１から位置Ｌ２までの領域（矢印Ａで示す領域；前記第２の範囲に相当）に画像形成を行う画像データについて前記画像形成条件１を設定し、位置Ｌ２から位置Ｌ３までの領域（矢印Ｃで示す領域；前記第１の範囲に相当）に画像形成を行う画像データについて前記画像形成条件２又は３を設定し、位置Ｌ３から位置Ｌ４までの領域（矢印Ｂで示す領域；前記第２の範囲に相当）に画像形成を行う画像データについて前記画像形成条件１を設定する。
【０１０６】
画像形成制御部１０５は、画像形成条件設定部１０３によって設定された画像形成条件による画像形成動作を画像形成部１３に実行させるものである。すなわち、画像形成制御部１０５は、画像データ取得部１０１により取得された画像データ中にバーコードを示す画像データが含まれていないときには、画像形成部１３に前記画像形成条件１に従う画像形成動作を行わせる。
【０１０７】
また、画像形成制御部１０５は、画像データ取得部１０１により取得された画像データの中にバーコードを示す画像データが含まれているときには、図５に示すような画像形成動作を前記画像形成部１３に行わせる。
【０１０８】
具体的には、画像形成制御部１０５は、図５に示すように、矢印Ｘの方向に搬送される用紙の位置Ｌ１から位置Ｌ２までの領域（矢印Ａで示す領域）に対し、前記画像形成条件１に従う画像形成動作を前記画像形成部１３に行わせた後、前記画像形成部１３に行わせる画像形成動作の画像形成条件を前記画像形成条件１から画像形成条件２又は３に切り替えた上で、位置Ｌ２から位置Ｌ３までの領域（矢印Ｃで示す領域）に対し、前記画像形成条件２又は３に従う画像形成動作を前記画像形成部１３に行わせ、その後、前記画像形成部１３に行わせる画像形成動作の画像形成条件を、再度、前記画像形成条件２又は３から画像形成条件１に切り替えた上で、位置Ｌ３から位置Ｌ４までの領域（矢印Ｂで示す領域）に対し、前記画像形成条件１に従う画像形成動作を前記画像形成部１３に行わせる。
【０１０９】
案内部１０６は、画像データ取得部１０１により取得された画像データの中にバーコードを示す画像データが含まれている場合に、画像形成制御部１０５の指示に基づく画像形成動作が用紙に行われると、図６に示すように、該用紙の画像を原稿読取部８０２に読み取らせるようにユーザに案内する案内画面の表示を行う。
【０１１０】
評価部１０７は、前記案内画面の表示後に原稿読取部８０２により行われた読取動作によって得られたバーコードの画像データについて画質の評価を行うものである。図７（ａ）は、前記案内画面の表示後に原稿読取部８０２により行われた読取動作によって得られたバーコードのうち一部のバーの拡大図である。
【０１１１】
前記案内画面の表示後に原稿読取部８０２により読取動作が行われると、例えば図７（ａ）に示すようなバーコードに対し例えば図７（ｂ）のような画像データのグラフが得られる。評価部１０７は、図７（ｂ）に示すようなグラフに基づいて、図７（ａ）に示すバーコードの画像データに対する画質の評価（例えば点数化）を行う。
【０１１２】
評価部１０７は、このようなバーコードの画像データに対し、前記トナーのチリ、バーの白抜き、黒バー（黒帯部分）の光反射率、及び黒バーと白バー（白帯部分）とのコントラストについての評価を行う。評価部１０７は、前記各パラメータ（トナーのチリ、黒バーの白抜き、光反射率及びコントラスト）をそれぞれ表す評価値が予め定められた閾値より大きいとき、すなわち、トナーのチリが一定量より少ない状態、黒バーの白抜きが一定の状態より少ない状態、黒バーの光反射率が適正範囲内である状態、及び黒バーと白バーの境界部分における画像データの変化が一定値より大きい状態のときには、一定の画質を有するバーコードの画像を形成できていると評価する一方、そうでないときには、一定の画質を有するバーコードの画像を形成できていないと評価する。
【０１１３】
具体的には、評価部１０７は、例えば、バーコードの画像における白帯部分に含まれる黒いドット状の画像パターンの数をトナーのチリの数として計数し、この計数値が大きいほど評価値が小さくなるように、トナーのチリを示す評価値を設定する。また、評価部１０７は、例えば、バーコードの画像における黒バーに含まれる白いドット状の画像パターンの数を黒バーの白抜き（欠落）の数として計数し、この計数値が大きいほど評価値が小さくなるように、バーの白抜きを示す評価値を設定する。
【０１１４】
また、評価部１０７は、例えば、バーコードの画像における黒バーの光反射率や、黒バーと白バーとの境界部分における画像データの濃度値の差（変化の大きさ）を示すコントラストの値が、予め設定された適正範囲の中央値に近いほど評価値の値が大きくなり、当該適正範囲の中央値から離れるほど評価値の値が小さくなるように、光反射率やコントラストの評価値を設定する。
【０１１５】
そして、評価部１０７は、これらの評価値が、予め設定された閾値を超えているか否かに応じて、上述の一定の画質を有するバーコードの画像が形成できているか否かを判定する。
【０１１６】
前記画像形成条件設定部１０３は、評価部１０７により、一定の画質を有するバーコードの画像を形成できていないと評価されると、バーコードの領域の画像データに基づく画像形成動作の画像形成条件を変更する。画像形成制御部１０５は、前記画像形成条件設定部１０３により画像形成条件が変更されると、この変更後の画像形成条件による画像形成動作を画像形成部１３に実行させ、案内部１０６は、この画像形成動作で得られた用紙の画像を原稿読取部８０２に読み取らせるようにユーザに案内する案内画面の表示を行い、評価部１０７は、前記案内画面の表示後に原稿読取部８０２により行われた読取動作によって得られたバーコードの画像データについて再度画質の評価を行う。
【０１１７】
画像形成条件設定部１０３、画像形成制御部１０５、案内部１０６及び評価部１０７は、評価部１０７により、一定の画質を有するバーコードを形成できていると評価されるまで、この処理を繰り返し実行する。これにより、テーブル記憶部１０４に格納されている複数の画像形成条件の中から、バーコードの画像形成に最も適した画像形成条件が設定される。
【０１１８】
図８は、図１に示す画像形成装置１の動作の一例を示すフローチャートである。また、図９は、制御部１００によるバーコードの画像形成条件設定処理を示すフローチャートである。なお、画像形成条件は、初期設定として前記画像形成条件１に予め設定されているものとする。
【０１１９】
まず、画像形成条件設定部１０３は、バーコードキー８０１が押下され（ステップ＃１０１でＹＥＳ）、すなわちバーコードキー８０１によって画像形成条件設定処理の実行指示が受け付けられ、さらにスタートキー８０５が押下されると（ステップ＃１０２でＹＥＳ）、バーコードモードに移行して、原稿読取部８０２によって原稿画像の読み取りを開始させ（ステップ＃１０３）、画像形成条件設定処理の実行を開始するべくステップ＃１へ移行する。
【０１２０】
一方、画像形成条件設定部１０３は、バーコードキー８０１が押下されることなく（ステップ＃１０１でＮＯ）、すなわちバーコードキー８０１によって画像形成条件設定処理の実行指示が受け付けられることなくスタートキー８０５が押下されると（ステップ＃１０４でＹＥＳ）、通常モードとして原稿読取部８０２によって原稿画像の読み取りを開始させ（ステップ＃１０５）、通常の画像に適した画像形成条件１での画像形成を実行するべくステップ＃３へ移行する。
【０１２１】
次に、図９に示す画像形成条件設定処理では、原稿読取部８０２によって読み取られた画像データが、制御部１００（画像データ取得部１０１）によって取得されると（ステップ♯１でＹＥＳ）、バーコード検出部１０２が、その画像データの中にバーコードを示す画像データが含まれているか否かを判断し（ステップ♯２）、含まれていない場合には（ステップ♯２でＮＯ）、画像形成条件設定部１０３が、画像形成条件１を設定し、画像形成制御部１０５が、当該画像形成条件１で画像形成動作を画像形成部１３に実行させる（ステップ♯３）。
【０１２２】
一方、ステップ♯２において、画像データ取得部１０１が取得した画像データの中にバーコードを示す画像データ含まれていると（ステップ♯２でＹＥＳ）、図５で説明したように、画像形成条件設定部１０３が、前記搬送方向に前記用紙の被記録面をバーコードが存在する第１の範囲（図５の矢印Ｃに示す領域に相当）とそれ以外の第２の範囲（図５の矢印Ａ，Ｂに示す領域に相当）とに分割した場合に、前記第１の範囲に画像形成する対象の第１の画像データに基づく画像形成動作の画像形成条件として例えば前記画像形成条件２を設定するとともに、前記第２の範囲に画像形成する対象の第２の画像データに基づく画像形成動作の画像形成条件として前記画像形成条件１を設定する（ステップ♯４）。そして、画像形成制御部１０５が、ステップ♯４で設定された画像形成条件にしたがって画像形成動作を前記画像形成部１３に実行させる（ステップ♯５）。
【０１２３】
次に、制御部１００（案内部１０６）は、ステップ♯５の画像形成動作により画像が形成された用紙の画像を原稿読取部８０２に読み取らせるように例えば図６に示す案内画面でユーザに案内する（ステップ♯６）。その後、制御部１００（案内部１０６）は、例えばユーザがスタートキー８０５を押下するなどして複写指示が入力されたか否かを判断し（ステップ♯７）、複写指示がユーザにより入力されていないと判断した場合には（ステップ♯７でＮＯ）、案内開始から所定時間が経過したか否かを判断する（ステップ♯８）。
【０１２４】
制御部１００（案内部１０６）は、案内開始から所定時間が経過したものと判断した場合には（ステップ♯８でＹＥＳ）、一連の処理を終了する一方、案内開始から所定時間が経過していないと判断した場合には（ステップ♯８でＮＯ）、ステップ♯６の処理に戻る。
【０１２５】
制御部１００（画像形成制御部１０５）は、前記所定時間が経過する前に複写指示がユーザにより入力されたと判断すると（ステップ♯７でＹＥＳ）、最近設定された画像形成条件にしたがって複写動作を原稿読取部８０２及び画像形成部１３に実行させる（ステップ♯９）。
【０１２６】
そして、制御部１００（評価部１０７）は、ステップ♯９の複写動作で得られた画像データについて画質の評価を実行し、その評価値が前記閾値より大きいか否かを判断する（ステップ♯１０）。制御部１００（評価部１０７）は、前記評価値が前記閾値以下であると判断すると（ステップ♯１０でＮＯ）、バーコードの領域に対する画像形成条件を変更した上で（ステップ♯１１）、ステップ♯６の処理に戻り、再度ステップ♯６〜♯１０を実行する。制御部１００（評価部１０７）は、前記評価値が前記閾値より大きいと判断すると（ステップ♯１０でＹＥＳ）、一連の処理を終了する。
【０１２７】
評価部１０７は、ステップ＃１０において、例えば、トナーのチリ、バーの白抜き、光反射率、及びコントラストを示す各評価値を、それぞれの評価項目毎に設けられた閾値と比較し、すべての評価値が各閾値より大きい場合に（ステップ♯１０でＹＥＳ）一連の処理を終了するようにしてもよく、あるいは、各評価値の合計が、予め設定された閾値より大きい場合に（ステップ♯１０でＹＥＳ）一連の処理を終了するようにしてもよい。
【０１２８】
以上のように、バーコードの画像データに基づく画像形成動作を行うための画像形成条件を、バーコード以外の画像データに基づく画像形成動作（通常の画像形成動作）を用紙に対して実行するときの画像形成条件とは別に設定し、取得した画像データの中にバーコードを示す画像データが含まれているとき、前記搬送方向に前記用紙の被記録面をバーコードが存在する第１の範囲とそれ以外の第２の範囲とに分割した場合に、前記第１の範囲に画像形成する対象の第１の画像データに基づく画像形成動作の画像形成条件として例えば前記画像形成条件２を設定するとともに、前記第２の範囲に画像形成する対象の第２の画像データに基づく画像形成動作の画像形成条件として前記画像形成条件１を設定するようにしたので、バーコードの画像形成に適した画像形成動作を行うことができるとともに、バーコード以外の画像データに基づく画像形成動作においても、バーコードの画像データに基づく画像形成動作における画像形成条件を採用する場合に比して、バーコード以外の領域の画像形成に適した画像形成動作を実行することができる。その結果、バーコードの画像及びバーコード以外の画像にそれぞれ適した画像形成条件で画像形成動作を行うことができるため、綺麗な画像を形成することができる。
【０１２９】
本件は、前記実施形態に代えて、或いは前記実施形態に加えて次のような変形形態も採用可能である。
【０１３０】
［１］図６に示すフローチャートのステップ♯６〜♯１１の処理は必ずしも実行する必要はなく、本件は、バーコードの画像形成に適する画像形成条件及びバーコード以外の画像の画像形成に適する画像形成条件を設定する画像形成条件設定処理を１度だけ実行する形態も含まれ、この場合も、バーコードやバーコード以外の画像の画像形成精度を向上することができるという効果は得られる。ただし、前記ステップ♯６〜♯１１の処理を行うことで、前記画像形成条件設定処理を１度だけ実行する形態に比して、更に、バーコード等の画像形成精度を向上することができる。
【０１３１】
［２］前記実施形態では、被記録媒体の一例として用紙を採用したが、被記録媒体は用紙に限らず、例えば基板などの電子部品の表面、布、缶なども含む。
【０１３２】
［３］画像形成条件設定部は、必ずしも１ページを第１の範囲とそれ以外の第２の範囲とに分割する必要はなく、画像データにおける１ページ毎にバーコードが含まれるか否かを判定し、バーコードが含まれないページについては画像形成条件として第１の画像形成条件を設定し、バーコードが含まれるページについては画像形成条件として第２の画像形成条件を設定するようにしてもよい。
【図面の簡単な説明】
【０１３３】
【図１】本発明に係る画像形成装置の一実施形態を示す正面断面視の説明図である。
【図２】図１に示す画像形成部の構成の一例を詳細に示す説明図である。
【図３】図１に示すプリンタの電気的構成の一例を示すブロック図である。
【図４】テーブル記憶部に記憶されている画像形成条件テーブルの一例を示す図である。
【図５】画像形成条件設定処理を説明するための図である。
【図６】用紙の画像を原稿読取部に読み取らせるようにユーザに案内する案内画面を示す図である。
【図７】バーコードの読取画像の画質を評価する方法を説明するための図である。
【図８】図１に示す画像形成装置の動作の一例を示すフローチャートである。
【図９】制御部によるバーコードの画像形成条件設定処理を示すフローチャートである。
【符号の説明】
【０１３４】
１０１  画像データ取得部
１０２  バーコード検出部
１０３  画像形成条件設定部
１０４  テーブル記憶部
１０５  画像形成制御部
１０６  案内部
１０７  評価部
【図１】
0005258534.tif 000002
【図２】
0005258534.tif 000003
【図３】
0005258534.tif 000004
【図４】
0005258534.tif 000005
【図５】
0005258534.tif 000006
【図６】
0005258534.tif 000007
【図７】
0005258534.tif 000008
【図８】
0005258534.tif 000009
【図９】
0005258534.tif 000010